(57)【要約】　　　（修正有）【課題】ヒールの高さをワンタッチでハイヒールとローヒールに切換えることを目的とする。【解決手段】ヒールを回転させることにより、ワンタッチでヒールの高さが切換わる構造を有することを特徴とするハイアンドロー・ヒール切換え式シューズ。【選択図】　　　　図１
2004121765.tif 000002
【特許請求の範囲】
【請求項１】
女性用シューズにおいて、ヒールの高さをハイヒールとローヒールに切換える構造を有することを特徴とするハイアンドロー・ヒール切換え式シューズ
【請求項２】
請求項１のハイアンドロー・ヒール切換え式シューズにおいて、ヒールを回転させることにより、ワンタッチでヒールの高さが切換わる構造を有することを特徴とするハイアンドロー・ヒール切換え式シューズ
【請求項３】
請求項１のハイアンドロー・ヒール切換え式シューズにおいて、歩行時の不用意なヒール高の変化を防止するための安全かつ確実なロック機構を有することを特徴とするハイアンドロー・ヒール切換え式シューズ
【請求項４】
請求項１のハイアンドロー・ヒール切換え式シューズにおいて、ヒール高の変化により生じる、靴底前方つま先から指の付け根までの部分と靴底中央土踏まず部分との角度変化に対応して伸縮する材質を、靴底前方と中央の境界部に使用することを特徴とするハイアンドロー・ヒール切換え式シューズ
【発明の詳細な説明】
【０００１】
【産業上の利用分野】
本発明は、女性用ハイヒール及びローヒールに関するものである。
【０００２】
【従来の技術】
従来のハイヒールまたはローヒールでは、ワンタッチでヒールの高さの調節が出来ないため、ハイヒールからローヒールへ、またローヒールからハイヒールへ切換える必要がある場合は、穿いている靴と別のタイプの靴を持ち歩かねばならず、現実問題としてどちらか一方のタイプの靴で妥協することを強いられていた。結果として健康と交通の安全の両面において危険が生じたり、おしゃれや身だしなみの点においても不都合が生じる場合があった。
【０００３】
【発明が解決しようとする課題】
本発明はこのような問題を解決するためになされたもので、ヒールの高さをワンタッチでハイヒールとローヒールに切換えることを目的とする。
【０００４】
【課題を解決するための手段】
ヒールを回転させることによりヒールの高さを切換える構造を有するもので、合わせて、歩行中のヒール高の変化を防ぐ安全のためのロック機構と、ヒール高の変化により生じる靴底の角度変化に対応して伸縮する材質を靴底前方と中央部の境界部に使用して、ハイ、ローいずれの状態でも快適な履き心地を得ようとするものである。
【０００５】
【作用】ヒールの高さをワンタッチでハイヒールとローヒールに切換えることができる。
【０００６】
【実施例】
以下、本発明によるハイアンドロー・ヒール切換え式シューズについて、図面を参照して説明する。
図１は、ハイヒールの状態とヒールの切換え構造部を示す概念図である。１は中心回転軸を、２は回転面を、３はヒールを、４はローヒール時に接地面となる部分を、５はヒール高の変化により生じる靴底の角度変化に対応して伸縮する材質からなる境界部、６は安全ロックピンを示す。安全ロックピン６を引き出し、中心回転軸１の軸心を中心に中心回転軸１と一緒にヒール３を回転面２に沿って１８０度回転させることにより、図２に示すローヒールの状態にすることが出来る。
【０００７】
図２は、ローヒールの状態とヒールの切換え構造部を示す概念図である。安全ロックピン６を引き出し、中心回転軸１の軸心を中心に中心回転軸１と一緒にヒール３を回転面２に沿って１８０度回転させることにより、図１に示すハイヒールの状態にすることが出来る。
【０００８】
図３は、回転部の詳細を示す断面図である。６は安全ロックピン、７は中心回転軸上部軸受け、８は中心回転軸下部軸受け、９は中心回転軸上部固定用座金、１０はヒール３の上部回転座金、１１はロックボール、１２は中心回転軸下部固定用座金、１３はロックピン用スプリング、１４はロックボール用スプリングを示す。安全ロックピン６を引き出し、中心回転軸１の軸心を中心に中心回転軸１と一緒にヒール３を回転面２に沿って１８０度回転させることにより、ヒール３が第１図に示すハイヒール状態から、第２図に示すローヒール状態に切換わる。ロックピン６が戻り回転がロックされる。同じ動作を繰り返すことにより第２図に示すローヒール状態から第１図に示すハイヒール状態に切換えることが出来る。
【０００９】
図４、図５、図６は安全ロックピン６の固定をスプリングではなく摩擦による場合の例を示す。ロックピンの脱落による紛失防止のためロックピンは上方より挿入する。この方式ではヒールの切り替え時に靴を脱ぐ必要が生じるが、反面、スプリングによる場合に比べて部品点数を減らせる利点がある。
【００１０】
図６は、安全ロックピン６の固定をスプリングではなく摩擦による場合の回転部の詳細を示す断面図である。１５はロックピン挿入孔、１６は中心回転軸軸受け、１７は安全ロックピン先端部を示す。安全ロックピン先端部１６をおしこみ、安全ロックピン６を上方にずらしてロックピン挿入孔１５より引き抜く。中心回転軸１の軸心を中心に中心回転軸１に固定されたヒール３を回転面２に沿って１８０度回転させることにより、ヒール３が第４図に示すハイヒール状態から、第５図に示すローヒール状態に切換わる。安全ロックピン６をロックピン挿入孔１５より差し入れ押し込むことでヒールは固定される。同じ動作を繰り返すことにより第５図に示すローヒール状態から第４図に示すハイヒール状態に切換えることが出来る。
【発明の効果】
以上説明したように、従来ハイヒールまたはローヒールでは簡単にヒールの高さの調節が出来ないため、ヒール高の異なる靴に履き替える必要が生じた場合、着用する靴と別にもう一足の靴を用意する必要があった。ところが、本発明により着用している靴のヒールの高さをワンタッチで切換えることができるため、別の靴を持ち歩いたり、職場のロッカーや乗用車内に用意しておく手間が省ける。また、ロック機構により歩行中の安全を確保し、ヒールの高さの変化による靴底の角度変化に対応して伸縮する材質を靴底前方と靴底中央部の境界部に使用することによりハイ、ローいずれの状態でも快適な履き心地が確保される。さらに、ハイヒールを履きながら状況に応じてローヒールに切換えることにより次に示す利点がある。
１）車両の運転操作が安全に行える。
２）階段の昇降が安全である。
３）長時間の歩行による疲労を軽減する。
４）外反母趾の危険を低減させる。
５）混雑した電車内などで周囲に対して安全である。
６）ハイヒールとしての美的な形状が変化しても靴としての美観が損なわれない。
７）ヒールを取外したり交換するシステムではないので変換のための工具や、差し替え用の部品を携帯する必要がない。
８）履き替える手間がなく、靴を着用したまま片手で簡単に切換えることが出来る。
【図面の簡単な説明】
【図１】図１は、ハイヒールの状態とヒールの切換え構造部を示す概念図である。
【図２】図２は、ローヒールの状態とヒールの切換え構造部を示す概念図である。
【図３】図３は、ヒールの回転部の詳細を示す断面図である。
【図４】図４は、安全ロックピン６の固定をスプリングではなく摩擦による場合のハイヒールの状態とヒールの切換え構造部を示す概念図である。
【図５】図５は、安全ロックピン６の固定をスプリングではなく摩擦による場合のローヒールの状態とヒールの切換え構造部を示す概念図である。
【図６】図６は、安全ロックピン６の固定をスプリングではなく摩擦による場合のヒールの回転部の詳細を示す断面図である。
【符号の説明】
１　中心回転軸
２　回転面
３　ヒール
４　ローヒール時に接地面となる部分
５　ヒールの高さの変化により生じる靴底前方つま先から指の付け根までと靴底中央土踏まず部分との角度変化に対応して伸縮する材質からなる境界部
６　安全ロックピン
７　中心回転軸上部軸受け
８　中心回転軸下部軸受け
９　中心回転軸上部固定用座金
１０　ヒール３の上部回転座金
１１　ロックボール
１２　中心回転軸下部固定用座金
１３　ロックピン用スプリング
１４　ロックボール用スプリング
１５　ロックピン挿入孔
１６　安全ロックピン先端部
【図１】
2004121765.tif 000003
【図２】
2004121765.tif 000004
【図３】
2004121765.tif 000005
【図４】
2004121765.tif 000006
【図５】
2004121765.tif 000007
【図６】
2004121765.tif 000008